(57)【要約】      （修正有）【課題】蓋の笛が鳴ることにより、土鍋内の料理が煮え立ったことを教えてくれる陶磁器製土鍋を提供する。【解決手段】笛は、内部に３つの通気口ａ−１，ｂ−２，ｃ−３を備え、凹凸ａ−６，ｃ−５で、水蒸気が外部に噴出するのを防ぐ。これにより、笛内部で圧縮された流動している気流が、笛を鳴ならし、土鍋からのお汁の噴きこぼれを未然に防ぐことができる。【選択図】図１
2014136145.tif 000002
【特許請求の範囲】
【請求項１】
本発明は、（図１）（ａ−６）（ｃ−５）のハマの凹凸を有することで、水蒸気を側面より外部に漏らすことなく、勢いよく大きな笛の音を出せるのである。（密閉笛方式）
本発明は、鍋ともくされる陶磁器製土鍋の陶磁器製蓋もしくは、ガラス製、金属製の蓋の中央部もしくは、蓋の傾斜部に水蒸気で鳴る笛を装着するものである。
この発明により、土鍋の中で沸騰してお汁が噴きこぼれる前に、土鍋の蓋の中央部もしくは、蓋の傾斜部に設置された笛が鳴ることにより、土鍋内の料理が煮え立ったことを教えてくれるのである。
本発明の笛では、３段階以上の穴（ａ−１），（ｂ−２），（ｃ−３）の通気口数を有するのが、その特徴である。
水蒸気を噴き出す穴（ａ−１）（ｂ−２）（ｃ−３）の大きさは、同じであるか、もしくは、（ａ−１）は、（ｂ−２）より直径が小さく（ｃ−３）は、（ｂ−２）よりも直径は、大きくなるのである。
つまり、下部より上部に向けて徐々に穴は、小さくなるのである。
本発明では、３段階以上の通気口数を有する笛である。
本発明では、（ａ），（ｂ），（ｃ）３種類以上の部品が必要である。
本発明では、通気口の手前で、気流の渦を発生させる為に、上に三角柱の空洞、下に逆三角柱の空洞を有するのがその特徴である。
本発明の笛は、陶磁器製でも、プラスチック製でも、シリコン製でも金属製でも良い。
【請求項２】
本発明は、（図４）（ｅ）から、側面の隙間を通して、多少の水蒸気を抜くことにより、笛の音色を変えることができる。（側面通気口笛方式）
本発明は、鍋ともくされる陶磁器製土鍋の陶磁器製蓋もしくは、ガラス製、金属製の蓋の中央部もしくは、蓋の傾斜部に水蒸気で鳴る笛を装着するものである。
この発明により、土鍋の中で沸騰してお汁が噴きこぼれる前に、土鍋の蓋の中央部もしくは、蓋の傾斜部に設置された笛が鳴ることにより、土鍋内の料理が煮え立ったことを教えてくれるのである。
本発明の笛では、３段階以上（ａ−１），（ｂ−２），（ｃ−３）の通気口数を有するのが、その特徴である。
水蒸気を噴き出す穴（ａ−１）（ｂ−２）（ｃ−３）の大きさは、同じであるか、もしくは、（ａ−１）は、（ｂ−２）より直径が小さく（ｃ−３）は、（ｂ−２）よりも直径は、大きくなるのである。
つまり、下部より上部に向けて徐々に穴は、小さくなるのである。
本発明では、３段階以上の通気口数を有する笛である。
本発明では、（ａ），（ｂ），（ｃ）３種類以上の部品が必要である。
本発明では、通気口の手前で、気流の渦を発生させる為に、上に三角柱の空洞、下に逆三角柱の空洞を有するのがその特徴である。
本発明の笛は、陶磁器製でも、プラスチック製でも、シリコン製でも金属製でも良い。
【発明の詳細な説明】
【技術分野】
【０００１】本発明は、陶磁器製もしくは、ガラス製、金属製の鍋の蓋の中央部もしくは、蓋の傾斜部に、陶磁器製もしくは、プラスチック製もしくは、シリコン製、金属製の水蒸気で鳴る笛を装着するものである。
【背景技術】
【０００２】従来の土鍋や鍋類には、笛のようなものはついていなかった。また、ガラス製、金属製の蓋は、収縮率が無く、陶器製のように収縮率の大きい蓋は、プラスチックのみをはめ込むのは中央上部でも、蓋の傾斜部でも困難であった。【０００３】従来、笛の材質は、金属製、プラスチック製に限定されていたが、元来、収縮率の多い陶磁器製、軟質のシリコン製でも作れるという発明でもある。
【発明の概要】
【発明が解決しようとする課題】
【０００４】従来の鍋製品は、お湯が沸くと蓋の傾斜部に空いている穴（通気口）から水蒸気が噴出するものであり、そうすることで、鍋内部の気圧を軽減する役目しかなかった。【０００５】従来の鍋製品は、沸騰しても、笛のような音を出す機能は無く、沸騰した際に噴きこぼれて、下部のコンロやＩＨクッキングヒーターを汚してしまうことがあった。
同時に、従来の土鍋製品は、沸騰した際に、噴きこぼれたお汁が、火を消して危険でもあった。【０００６】この陶磁器製もしくは、プラスチック製、シリコン製、金属製の笛は、従来、鍋ともくされるものには不可能とされていた笛機能を可能に至らしめた発明である。
【課題を解決するための手段】
【０００７】この発明により、鍋の中で沸騰してお汁が噴きこぼれる前に、蓋の中央部もしくは、蓋の傾斜部に、設置された笛が鳴ることにより、鍋の中の料理が煮え立ったことを音色で教えてくれるのである。【０００８】この発明により、笛内部で流動している気流などを利用した笛が鳴ることにより、鍋からのお汁の噴きこぼれを未然に防ぐことができる。【０００９】陶磁器の蓋の収縮率の誤差は大きく、取り付けにくいのであるが、そこにハマの凹凸を使用し、水蒸気が、無用に外部に噴出するのを防いでくれるという技術である。（図１）（ａ−６）（Ｃ−５）【００１０】陶磁器製土鍋もしくは、プラスチック製、シリコン製、金属製の蓋の蒸気の噴出する穴の上部に、穴が３段階以上になった笛を付けることにより、より鮮明な音を鳴らすことができる発明である。（図１）（ａ−１）（ｂ−２）（ｃ−３）【００１１】陶磁器製もしくは、プラスチック製、シリコン製、金属製の蓋の中央部もしくは、傾斜部の水蒸気を噴き出す穴に、笛を付けることで、蓋上部のつまみを持ち上げても、熱いおもいをすることなく、蓋が取りやすくなっている。
この笛は、陶磁器製でも、プラスチック製でも、シリコン製でも、金属製でも良い。
また、蓋の中央部もしくは、傾斜部に設置する笛は、（図３）のような密閉笛方式と（図４）のような側面通気口笛方式の形態がある。【００１２】（図１）（ａ−６）（Ｃ−５）の凹凸のあるハマは、（ｃ−３）の穴から水蒸気の噴出する上部の（ｂ）の側面より、笛の音を出すための必要な水蒸気が、漏れることがあるので、その様なことがないようにハマによる段差による防御が必要であり、それを設置することで、上部の笛の鳴る穴の勢いを増すことができる発明である。
ハマによる凹凸の段差によって、土鍋内の水蒸気が側面より噴出することなく防御されることによって、（図２）（ｃ−４）のシリコンパットも不必要となるのである。
この（図１）（ａ−６）（Ｃ−５）の凹凸のあるハマがなければ、（図２）（ｃ−４）シリコンパットが必要となる。【００１３】（図４）の笛は、（図１）の笛とは異なり、笛の側面（ｅ）からの通気口を有することを特徴にしている。
笛の穴である通気口の役目をしている（ａ−１）（ｂ−２）（ｃ−３）のような３つ以上の穴数を有しているのは変わらない。
（ｅ）の通気口を有することで、（図１）ほどの大きな音は鳴らないが、音程の違う音を鳴らすことができる。
（ｆ）は、柱であり、（ｂ）と（ｃ）の間に空間としての隙間を有する。
【発明の効果】
【００１４】この発明により、土鍋から噴きこぼれたお汁が火を消すという危険な事故が少なくなるのである。【００１５】この発明により、土鍋から噴きこぼれるという危険を回避できることで、火傷などの様々な事故を未然に防げるのである。
【図面の簡単な説明】
【００１６】
【図１】（ａ）は、笛上部である。（ｂ）は、（ａ）内部に密着している座金状の部品である。（ｃ）は、（ａ）の受け皿であり、その下部は、（ｄ）の蓋に密着しているものである。土鍋の蓋中央部もしくは、蓋の傾斜部の穴より噴き出た水蒸気が（ｃ−３）の穴を通過し、水蒸気が噴き出すとその水蒸気は、次に（ｂ−２）の穴を逆三角柱の空洞の中で気流を作りながら通過する。そして、（ａ−１）の穴を同じように三角柱の空洞の中で気流を作りながら通過する際に、中低音の音を発生するのである。中低音の笛の音は、高齢者にも聞き取りやすい笛の音である。（ａ−６）のハマは、（ｃ−５）のハマを受ける溝に、はまり込む様になっている。このハマは、円形であり、内部の水蒸気が側面のすき間（ａ）（ｃ）の間から水蒸気が漏れるのを防ぐものである。
【図２】（ａ），（ｂ），（ｃ）は、３層の組み合わせとなり、中央部に穴の空いた部品でできている。（ａ）の中央部には、内部に三角柱の空洞が形成されている。（ｂ）は、座金状であり、上部の（ａ）の三角柱の空洞に密着し、はめ込むようになっている。（ｃ）の中央部には、逆三角柱の空洞が形成されている。（ｃ−４）は、シリコンパットである。これを着けることにより、より密閉性が高まり、大きな笛の音が鳴るのである。このシリコンパッドは、ハマ（ａ−６）（ｃ−５）が、形成されていないときに必要となる。
【図３】密閉笛方式  蓋の中央部もしくは、傾斜部の水蒸気を噴き出す穴（ａ−１）（ｂ−２）（ｃ−３）を有する。（ｄ）は、陶磁器もしくは、ガラス素材、金属素材の蓋部分である。矢印は、蓋中央部もしくは側面部から噴き出る水蒸気の気流のながれである。（ｃ−３）の穴を通過した気流は、逆三角柱の空洞内部で円の渦を描きながら上昇気流に乗り、（ｂ−２）の穴を通過する。次に、三角柱の空洞を円の渦を描きながら上昇気流に乗り、（ａ−１）の穴を通過する。（ｃ−３）下部の水蒸気の噴出する穴から、（ｂ−２）下部の笛の隙間の側面より、必要な水蒸気が、漏れることがあるので、その様なことがないようにハマによる段差による防御が必要であり、それを設置することで、上部の笛の鳴る穴の勢いを増すことができる発明である。（ａ−６）（ｃ−５）を有することで、ハマによる凹凸の段差によって、土鍋内の水蒸気が側面より噴出することなく防御されることによって、この場合図２の（ｃ−４）ようなシリコンパットも不必要となるのである
【図４】側面通気口笛方式  （ａ）は、笛上部である。（ｂ）は、（ａ）内部に密着している座金状の部品である。（ｃ）は、（ａ）の受け皿であり、下部は、（ｄ）の蓋に密着しているものである。土鍋の蓋中央部もしくは、蓋の傾斜部の穴より噴き出た水蒸気が穴（ｃ−３）を通過し、水蒸気が噴き出すとその水蒸気は、次に（ｂ−２）の穴を気流を作りながら通過する。そして、（ａ−１）の穴を同じように気流を作りながら通過する際に、中低音の音を発生するのである。この図４は、図１と異なり柱状の（ｆ）を有し、（ｂ）と（ｃ）との間にすき間が生じている。このすき間は、少量の水蒸気を（ｅ）の方向に抜き、音色を変える役目をしている。図１に比べて、水蒸気の勢いは少ないので、音は小さくなるが、高音の音色を出しやすくする。（ｆ）の柱は、高さが０．数ミリであるが、その幅で、音色を変えるのである。（ｆ）の柱は、（ａ）と（ｂ）の間にあっても良い。
【発明を実施するための形態】
【００１７】図１は、断面図である。
図１の方式では、蓋内部の水蒸気が（ｃ−３）の穴を通り両側に渦を巻く気流を作り、（ｂ−２）の穴を通過し、同じく両側に渦を作りながら、（ａ−１）の穴を通過するのである。
水蒸気を噴き出す穴（ａ−１）（ｂ−２）（ｃ−３）の大きさは、同じであるか、もしくは、（ａ−１）は、（ｂ−２）より直径が小さく（ｃ−３）は、（ｂ−２）よりも直径は、大きくなるのである。
つまり、下部より上部に向けて徐々に穴は、小さくなるのである。
そして、凹凸のハマ（ａ−６）（ｃ−５）は、気流となった水蒸気の外部への気圧漏れを防ぐものである。
【００１８】図２は、（ｃ−４）シリコンパットを着けた時の斜視である。
（ｃ−４）は、（ａ）と（ｂ）の器具の接する部分にシリコンパットを着けることで、気圧漏れを防ぐものである。
この場合、凹凸のハマ（ａ−６）（ｃ−５）は、存在しない。
【００１９】図３では、蓋の中央部もしくは、傾斜部の水蒸気を噴き出す穴（ａ）（ｂ）（ｃ）を有するものであり、原理は、図１と同じである。
水蒸気を噴き出す穴（ａ−１）（ｂ−２）（ｃ−３）の大きさは、同じであるか、（ａ−１）は、（ｂ−２）より直径が小さく（ｃ−３）は、（ｂ−２）よりも直径は、大きくなるのである。
【００２０】図４は、矢印の方向に、空気が流動していくのである。
水蒸気を噴き出す穴（ａ−１）（ｂ−２）（ｃ−３）を有するが、（ｅ）の逃げ道を有する特徴がある。
（ｂ）（ｃ）の間に、かすかな隙間がある。
水蒸気を噴き出す穴（ａ−１）（ｂ−２）（ｃ−３）の大きさは、同じであるか、（ａ−１）は、（ｂ−２）より直径が小さく（ｃ−３）は、（ｂ−２）よりも直径は、大きくなるのである。
（ｃ−３）の穴を通過し（ｂ−２）の穴に至るまで多少のすき間があり気流が流動する。
そして、（ｃ−３）の穴から、（ｂ−２）の穴に至るときは、（ｅ）に通気して、側面から少量の水蒸気が流れ出すのである。その原理により、笛が鳴る。
この時、（ａ）と（ｂ）の間に（ｅ）の通気口があってもよい。
【実施例】
【００２１】土鍋の中で、お湯が沸騰すると低音の笛の音がなり、笛を取り外し、蓋を開けることにより、煮え過ぎや噴きこぼれがなくなる。
【産業上の利用可能性】
【００２２】従来のノーマルな土鍋に比べて笛という機能がつくことにより、市場性が高まる。
便利という面で、調理の幅が広がるのである。
噴きこぼれをする前に、笛が音色で気づかせてくれることが、調理をする上で使いやすさにつながる。
消費者保護に貢献できる発明である。
【符号の説明】
【００２３】（ａ）は、笛上部である。
（ｂ）は、（ａ）内部に密着している座金状の部品である。
（ｃ）は、（ａ）の受け皿であり、下部は、（ｄ）の蓋に密着しているものである。
（ａ−１）は、水蒸気の通る通気口である。
（ｂ−２）は、水蒸気の通る通気口である。
（ｃ−３）は、水蒸気の通る通気口である。
（ｄ）は、陶磁器もしくは、ガラス、金属の蓋の部分である。
（ａ−６）は、ハマである。
（ｃ−５）は、ハマを受ける溝である。
（ｅ）は、通気口である。
（ｆ）は、柱である。
【図１】
2014136145.tif 000003
【図２】
2014136145.tif 000004
【図３】
2014136145.tif 000005
【図４】
2014136145.tif 000006